(57)【要約】【課題】点検、修理等により個々の変圧器が停止してもシステム全体が稼動できる分割形変圧器システムである。【解決手段】複数の変圧器２、３、４が設置され、各変圧器２、３、４、に配置された油ダクト５、６、７には絶縁油１１と絶縁ガス１２を分離する油−ガスブッシング８、９、１０が設けられている。各油−ガスブッシング８、９、１０の絶縁ガス１２側にはガス絶縁着脱母線１３、１４、１５が接続され、各ガス絶縁着脱母線１３、１４、１５はガス絶縁接続母線１６、１７、１８にて電気的に一体となり、ガス絶縁避雷器１９とガス絶縁電力ケーブル接続装置２０に接続される。【選択図】　図１
2004080867.tif 000002
【特許請求の範囲】
【請求項１】
複数の変圧器が設置され、各変圧器に設けられた油ダクトには絶縁油と絶縁ガスを分離する油−ガスブッシングが設けられ、各油−ガスブッシングの絶縁ガス側にはガス絶縁着脱母線が接続され、各ガス絶縁着脱母線はガス絶縁接続母線と電気的に一体化されて、ガス絶縁避雷器とガス絶縁電力ケーブル接続装置に接続されたことを特徴とする分割形変圧器システム。
【請求項２】
前記ガス絶縁着脱母線は着脱可能なベロー継手等の伸縮機能を備えた接続手段によりガス絶縁接続母線と接続されたことを特徴とする請求項１記載の分割形変圧器システム。
【請求項３】
前記変圧器の油ダクト内に設けられた油−ガスブシシングとガス絶縁接続母線の導体とをガス絶縁着脱母線の容器の内部で、締結手段により接続導体で着脱可能に接続したことを特徴とする請求項１記載の分割形変圧器システム。
【請求項４】
前記ガス絶縁着脱母線の容器に着脱可能な蓋を配置したことを特徴とする請求項３記載の分割形変圧器システム。
【請求項５】
前記各ガス絶縁接続母線が同一軸線上に設けられたことを特徴とする請求項１記載の分割形変圧器システム。
【発明の詳細な説明】
【０００１】
【発明の属する技術分野】
本発明は、ガス絶縁母線により、複数の電力用変圧器の接続、分離を可能とした分割形変圧器システムに関する。
【０００２】
【従来の技術】
従来、複数の変圧器を接続した変圧器システムとして多く実施されているのが、絶縁油を充填した油ダクトによるものである。
【０００３】
図６は従来の変圧器システムの構成例を示す図である。
【０００４】
図６において変圧器システム３０では３台の変圧器３１、３２、３３が据付面に固定されている。各変圧器３１、３２、３３には外部接続用の油ダクト３４、３５、３６が設けられている。また、各油ダクト３４、３５、３６の変圧器本体が接続されていない側にはそれぞれスペーサ（油−油ブッシング、プレスボードスペーサ等）３７、３８、３９が取り付けられ絶縁油４０が分離される。各スペーサ３７、３８、３９の他方は接続用の油ダクト４１により電気的に接続され一体となる。接続用の油ダクト４１は油−ガスブッシング４２の油側と接続され、絶縁油４０と絶縁ガス４３が分離される。油−ガスブッシング４２のガス側にはガス絶縁避雷器４４とガス絶縁電力ケーブル接続装置４５が設けられ電力ケーブルと接続される。
【０００５】
また、ガス絶縁避雷器４４が無い構成例もある。その場合、油−ガスブッシング４２は使用せず、油絶縁の電力ケーブル接続装置により電力ケーブルと接続される。また、電力ケーブルを使用せず、直接ガス絶縁母線でガス絶縁開閉装置に接続する場合も多くなってきている。
【０００６】
近年、水力発電所や都心に配置される電力用変圧器は輸送条件が厳しく、一体では輸送出来ない。このため、分割して輸送し、現地にて組立てる必要がある。さらに、電力需要の予測が困難なため、当初、電力用変圧器は少ない容量で設置し、将来、簡単に容量の増加が出来ることが望まれている。
【０００７】
また、送電系統に設置される開閉装置の数量を削減するため、コンバインドサイクル火力発電所のように複数の発電機用変圧器を電気的に接続し、１回線の開閉装置により送電する場合が増加している。その上、停電時間の短縮、すなわち、点検、故障や事故障害による電力用機器の停止する時間の短縮も望まれている。
【０００８】
【発明が解決しようとする課題】
しかし、従来の複数の変圧器を接続した変圧器システムでは以下の問題がある。
【０００９】
障害、事故等による修理または点検のため、１つの変圧器を取り外すと残りの変圧器が使用出来なくなる。すなわち変圧器システム全体が停止する。また、複数の変圧器のうち１つを使用するには長時間の切離作業が必要である。このため、変圧器システムの停止時間が長くなる。特に、油ダクト等の絶縁油を処理するには、官庁への手続きが必要である。また、絶縁油の処理そのものも大掛かりな装置が必要である。
【００１０】
電力用変圧器は、当面の使用容量が少ないため、または、コンバインドサイクル火力発電所等に用いるため当初は１台の変圧器の容量で十分であるが、将来の電力需要を見ながら、容量の増加を行う場合がある。この場合、変圧器を増設することとなるが、最初の変圧器と増設する変圧器を接続する作業が大掛かりで、長時間の作業が必要となる。このため、変圧器システム全体の停止時間も長くなる。
【００１１】
本発明は上述した問題を解決するために、点検、修理等により個々の変圧器が停止してもシステム全体が稼動できる分割形変圧器システムを提供することを目的とする。
【００１２】
本発明の他の目的は、従来の変圧器システムより短時間で簡易に、変圧器の分離あるいは増設が可能である分割形変圧器システムを提供することである。
【００１３】
【課題を解決するための手段】
本発明に係る分割形変圧器システムは、上述の目的を達成するために、請求項１に記載したように、複数の変圧器が設置され、各変圧器に設けられた油ダクトには絶縁油と絶縁ガスを分離する油−ガスブッシングが設けられ、各油−ガスブッシングの絶縁ガス側にはガス絶縁着脱母線が接続され、各ガス絶縁着脱母線はガス絶縁接続母線と電気的に一体化されて、ガス絶縁避雷器とガス絶縁電力ケーブル接続装置に接続されたことを特徴とするものである。
【００１４】
また、本発明に係る分割形変圧器システムは、上述の目的を達成するために、請求項２に記載したように、前記ガス絶縁着脱母線は着脱可能なベロー継手等の伸縮機能を備えた接続手段によりガス絶縁接続母線と接続されたことを特徴とするものである。
【００１５】
また、本発明に係る分割形変圧器システムは、上述の目的を達成するために、請求項３に記載したように、前記変圧器の油ダクト内に設けられた油−ガスブシシングとガス絶縁接続母線の導体とをガス絶縁着脱母線の容器の内部で、締結手段により接続導体で着脱可能に接続したことを特徴とするものである。
【００１６】
また、本発明に係る分割形変圧器システムは、上述の目的を達成するために、請求項４に記載したように、前記ガス絶縁着脱母線の容器に着脱可能な蓋を配置したことを特徴とするものである。
【００１７】
また、本発明に係る分割形変圧器システムは、上述の目的を達成するために、請求項５に記載したように、前記各ガス絶縁接続母線が同一軸線上に設けられたことを特徴とするものである。
【００１８】
【発明の実施の形態】
本発明に係る分割形変圧器システムの実施の形態について添付図面を参照して説明する。
【００１９】
図１は本発明に係る分割形変圧器システムの実施形態を示す側面図である。
【００２０】
この例では、分割形変圧器システム１は３台の変圧器２、３、４で構成される。各変圧器２、３、４は据付面に設置され、側面にはそれぞれ外部接続用の油ダクト５、６、７が配置されている。各油ダクト５、６、７には油−ガスブッシング８、９、１０が垂直に配置される。各変圧器２、３、４は油−ガスブッシング８、９、１０の油側と接続され、これらの油−ガスブッシング８、９、１０で絶縁油１１と絶縁ガス１２を分離している。
【００２１】
各油−ガスブッシング８、９、１０のガス側は上部に配置されたガス絶縁着脱母線１３、１４、１５に接続される。この各ガス絶縁着脱母線１３、１４、１５はガス絶縁接続母線１６、１７、１８により相互に接続され電気的に一体となり、ガス絶縁避雷器１９およびガス絶縁電力ケーブル接続装置２０に接続される。ガス絶縁電力ケーブル接続装置２０は電力ケーブルにより別途配置された開閉装置に接続される。
【００２２】
図２は図１に示された分割形変圧器システム１の平面図である。
【００２３】
各変圧器２、３、４は単層のガス絶縁接続母線１６，１７，１８で接続されている。
【００２４】
ガス絶縁接続母線１６，１７，１８はガス絶縁着脱母線１３、１４、１５を介して電気的に接続され、ガス絶縁避雷器１９およびガス絶縁電力ケーブル接続装置２０に接続される。３台の変圧器２、３、４には外部接続端子（火力発電所用では１次端子等）２ａ、３ａ、４ａと変圧器用クーラー２ｂ、３ｂ、４ｂがそれぞれ配置されている。
【００２５】
分割形変圧器システム１に備えられるガス絶縁着脱母線１３、１４、１５は図３に示される構造を有する。
【００２６】
ガス絶縁着脱母線１３、１４、１５の容器２１の両側には伸縮、着脱可能なベロー継手２２、２３が配置されている。内部では内部導体２４、２５、２６がボルト類２７により接続導体２８に電気的に接続され一体となっている。
【００２７】
また、容器２１には接続導体２８に対向してフランジ付きの開口２９が形成され、この開口２９に蓋３０が開閉自在に装着される。この容器２１に取付けられた蓋３０を開け、ボルト類２７を取り外すことにより内部導体２４、２５、２６を電気的に分離させることが出来る。すなわち接続される機器と電気的に分離することが出来る。
【００２８】
図４は図１に示す３台の変圧器のうち１台の変圧器のみを設置した例を示す図である。
【００２９】
接続構成は図１の場合と同じであるが、ガス絶縁着脱母線１５は変圧器４とのみ接続している。ガス絶縁着脱母線１５は、図３に示す内部導体２４を取り外し、ベロー継手２２の部分には蓋が取り付けられている。この変圧器４との接続形態から、図１の配置のように変圧器を増設する場合でも、増設する変圧器２、３を設置し調整試験等が終了した後に、増設した変圧器２、３にガス絶縁着脱母線１３、１４を油ダクト５、６に油−ガスブッシング８、９を介して接続し、さらにガス絶縁接続母線１６、１７で接続することにより容易に短時間で既存の変圧器４と接続できる。
【００３０】
図５は点検、事故、障害等により図１の３台の変圧器のうち、中央の変圧器を取り外した例を示す図である。
【００３１】
この場合、図１におけるガス絶縁着脱母線１４のうち中央の変圧器３との接続を分離し、ガス絶縁着脱母線１４の内部導体２６を取り外し、容器下部の分離部分には蓋を取り付け内部を密封している。こうすることにより中央の変圧器３を分離しても残りの変圧器２、４は一体接続され、運転することが出来る。
【００３２】
なお、本実施形態では全て単相形で説明したが、ガス絶縁母線と変圧器の油−ガスブッシングを３相一括にしても実施出来る。また、３台の例で説明したが、複数の変圧器にも適用できる。
【００３３】
【発明の効果】
本発明に係る分割形変圧器システムは、複数の変圧器のうち１台が点検、事故、障害等により停止しても容易に切離でき、残りの変圧器に影響を及ぼさないため、システム全体を長時間運転停止させることなく運転することが出来る。すなわち変圧器システムの運転停止時間を短くでき、短時間で復旧が可能である。
【００３４】
当初設置の変圧器に別の変圧器を増設する場合にも、容易に増設することが可能であり、また、変圧器の分離も簡単に実施することができるため、その際の変圧器システムの停止時間を短く出来る。
【００３５】
複数の変圧器をガス絶縁着脱母線とガス絶縁母線によりまとめて１つとし、ガス絶縁開閉装置に接続することが出来るので、ガス絶縁開閉装置の遮断器等の数量を削減することが可能となる。
【００３６】
複数の変圧器を少ないスペースでしかも簡単な設備で容易に接続一体化することが可能である。
【図面の簡単な説明】
【図１】本発明に係る分割形変圧器システムの実施形態を示す側面図。
【図２】図１に示された分割形変圧器システムの平面図。
【図３】図１に示されたガス絶縁着脱母線の構造を示す図。
【図４】図１に示す３台の変圧器のうち１台の変圧器のみを設置した例を示す側面図。
【図５】図１に示す３台の変圧器のうち、中央の変圧器を取り外した例を示す側面図。
【図６】従来の変圧器システムの構成例を示す側面図。
【符号の説明】
１　分割形変圧器システム
２、３、４　変圧器
２ａ、３ａ、４ａ　外部接続端子
２ｂ、３ｂ、４ｂ　変圧器用クーラー
５、６、７　油ダクト
８、９、１０　油−ガスブッシング
１１　絶縁油
１２　絶縁ガス
１３、１４、１５　ガス絶縁着脱母線
１６、１７、１８　ガス絶縁接続母線
１９　ガス絶縁避雷器
２０　ガス絶縁電力ケーブル接続装置
２１　容器
２２、２３　ベロー継手
２４、２５、２６　内部導体
２７　ボルト類
２８　接続導体
２９　開口
３０　蓋
【図１】
2004080867.tif 000003
【図２】
2004080867.tif 000004
【図３】
2004080867.tif 000005
【図４】
2004080867.tif 000006
【図５】
2004080867.tif 000007
【図６】
2004080867.tif 000008